(57)【要約】【課題】マンション等の集合住宅の居室の天井と内壁の仕上げとリフォームを簡単に行なうことができる建物の内装構造を提供する。【解決手段】上階スラブ２の下側に天井パネル３を設置する。天井パネル３の長辺方向の両端部を壁面に取り付けられた受け金物６によって支持する。天井パネル３上面を上階スラブ２の下面に取り付けられたファスナー7aと天井パネルの上面に取り付けられたファスナー7bとからなる面ファスナー７によって固定する。戸堺壁４の内側に壁パネル５を設置する。壁パネル５の上下両端部を壁面に取り付けられた受け金物８に、当該受け金物８に取り付けられたファスナー7aと壁パネル５に取り付けられたファスナー7bとからなる面ファスナー７によって固定する。天井パネル３と壁パネル５はペーパーハニカムパネルから形成する。【選択図】図１
0003188482.tif 000002
【実用新案登録請求の範囲】
【請求項１】
上階スラブの下側に天井パネルを設置し、当該天井パネルの長辺方向の両端部を壁面に取り付けられた受け金物によって支持し、かつ上面を上階スラブの下面に取り付けられたファスナーと天井パネルの上面に取り付けられたファスナーとからなる面ファスナーによって固定することにより構成されていることを特徴とする建物の内装構造。
【請求項２】
請求項１記載の建物の内装構造において、壁体の内側に壁パネルを設置し、当該壁パネルの上下両端部を壁面に取り付けられた受け金物に取り付けられたファスナーと壁パネルに取り付けられたファスナーとからなる面ファスナーよって固定することにより構成されていることを特徴とする建物の内装構造。
【請求項３】
請求項１または２記載の建物の内装構造において、天井パネルと壁パネルはペーパーハニカムパネルから形成されていることを特徴とする建物の内装構造。
【請求項４】
請求項１〜３のいずれかひとつに記載の建物の内装構造において、受け金物はＬ字形状に形成されていることを特徴とする建物の内装構造。
【請求項５】
請求項１〜４のいずれかひとつに記載の建物の内装構造において、上階スラブの下側に突出した梁の外周に取り付けられた天井パネルは、梁の外形に対応してＬ型状または溝型状に形成されていることを特徴とする建物の内装構造。
【請求項６】
請求項１〜５のいずれかひとつに記載の建物の内装構造において、壁体の側部に突出した柱の外周に取り付けられた壁パネルは、柱の外形に対応してＬ型状または溝型状に形成されていることを特徴とする建物の内装構造。
【請求項７】
請求項１〜６のいずれかひとつに記載の建物の内装構造において、壁際の天井部分に間接照明形成パネルが天井パネルに取り付けられたファスナーと間接照明形成パネルに取り付けられたファスナーとからなる面ファスナーによって取り付けられていることを特徴とする建物の内装構造。
【考案の詳細な説明】
【技術分野】
【０００１】
本考案は建物の内装構造に関し、主としてマンション等の集合住宅の居室の天井および内壁の仕上げとリフォームを簡単に行なうことができる。
【背景技術】
【０００２】
近年、建物を支える構造躯体（スケルトン）を分譲し、各住戸内の間取りや内装（インフィル）は、購入者がライフスタイルやライフサイクルに合わせ自由に決められる方式の集合住宅(スケルトン方式のマンション)が注目されている。また、マンション等の集合住宅のリフォームも多く、特に老朽化した分譲マンション、さらに賃貸マンションにいたっては入居者が入れ替わるごとにリフォームを必要とする場合が多い。
【０００３】
従来、マンション等の集合住宅の居室の天井は、上階スラブの下側に吊り木または吊りボルトを用いて天上下地を吊り上げ、これにしっくいやプラスター等を塗るか、あるいは布やビニールクロス等を貼り付けることにより仕上げられている。
【０００４】
また、壁はボード類を打ち付けて仕上げの下地とし、これに天井と同様にしっくいやプラスター等を塗るか、あるいは布やビニールクロス等を貼り付けることにより仕上げられている。
【先行技術文献】
【特許文献】
【０００５】
【特許文献１】特開平１０−３８３２３号公報
【特許文献２】特開７−１８０２５７号公報
【特許文献３】特開２００９−７４３０７号公報
【特許文献４】特開２００２−１４４４８２号公報
【考案の概要】
【考案が解決しようとする課題】
【０００６】
しかし、上述するような天井と壁の仕上げは、リフォームも含めて素人の手では無理であり、専門業者に依頼する必要があった。また、完成するまで一定の日数を必要とし、しかも完成後に多くの廃材が発生してその処理に費用が嵩む等の課題があった。また特に、吊り天井による仕上げは天井が低くなるという課題があった。
【０００７】
本考案は、以上の課題を解決するためになされたもので、主としてマンション等の集合住宅の居室の天井と内壁の仕上げとリフォームを素人の手でも簡単に行なえるようにした建物の内装構造を提供することを目的とする。
【課題を解決するための手段】
【０００８】
本考案は、マンション等の集合住宅の居室の天井および壁の仕上げとリフォームを素人でも簡単に行なえるようにしたものであり、天井は上階スラブの下側に天井パネルを設置し、当該天井パネルの長辺方向の両端部を壁面に取り付けられた受け金物によって支持し、かつ上面を上階スラブの下面に取り付けられたファスナーと天井パネルの上面に取り付けられたファスナーとからなる面ファスナーによって固定することにより仕上げ、また壁は壁体の内側に壁パネルを設置し、当該壁パネルの上下両端部を壁面に取り付けられた受け金物に取り付けられたファスナーと壁パネルに取り付けられたファスナーとからなる面ファスナーによって固定して仕上げることで可能にしている。
【０００９】
特に、天井パネルと壁パネルには超軽量なペーパーハニカムパネルを使用することにより面ファスナーでも上階スラブの下面と壁面に確実に固定することができる。また、上階スラブの下面と天井パネルとの間、および壁面と壁パネルとの間に受け金物と面ファスナーが介在されることにより、天井パネルと壁面パネルの裏側に屋内配線用の空間を確保することができ、かつパネル取付け面の不陸を吸収することができる。
【００１０】
さらに、上階スラブの下側に突出した梁の外周に取り付けられる天井パネルは、梁の外形に対応してＬ型状または溝型状に形成され、また戸境壁または間仕切り壁の壁面に突出した柱の外周に取り付けられる壁パネルは、柱の外形に対応してＬ型状または溝型状に形成されていることにより、梁周りおよび柱周りのパネルの取り付けも簡単に行なうことができる。
【００１１】
また、受け金物はパネルごとに設置されるピース状に形成されたもの、あるいは複数のパネル間に跨って設置されるライナー状に形成されたもののいずれでよい。
【００１２】
また、壁パネルの上端部を受ける受け金物は、天井パネルの長辺方向の端部を支持する受け金物と兼用させることができる。さらに、壁パネルの上下両端部を受ける受け金物は、同じ形状とすることで互いに互換性を持たせることができる。
【考案の効果】
【００１３】
本考案によれば、面ファスナーと受け金物のみで天井パネルと壁パネルを設置することが可能なことにより、特にマンション等の集合住宅の居室の天井と内壁の仕上げをリフォームも含めて素人でもきわめて簡単に行うことができる。また特に、上階スラブの下面に天井パネルを面ファスナーによって直接固定するため、吊り天井のように天井が低くなることもない。
【図面の簡単な説明】
【００１４】
【図１】居室の天井と内壁の構造を示す斜視図である。
【図２】図２(a)は上階スラブの下側に設置された天井パネルの一部斜視図、図２(b)は戸堺壁または間仕切り壁の内側に設置された壁パネルの一部斜視図、図２(c)は受け金物の斜視図である。
【図３】居室内に突出した梁周囲の内装構造を示し、図３(a)は壁際に突出した梁周囲の内装構造を示す斜視図、図３(b)は居室中央に突出した梁周囲の内装構造を示す斜視図である。
【図４】居室内に突出した柱周囲の内装構造を示す斜視図である。
【図５】天井間接照明を備えた天井の構造を示す斜視図である。
【考案を実施するための形態】
【００１５】
図１〜４は、本考案の一実施形態を図示したものであり、図において、マンション等の集合住宅の居室１の上階スラブ２の下側に複数の天井パネル３が設置され、また戸堺壁(または間仕切り壁)４の内側に複数の壁パネル５が設置されている。
【００１６】
天井パネル３と壁パネル５にはペーパーハニカムパネルが使用されている。ペーパーハニカムパネルはペーパーハニカム構造の芯材の両面に木製または樹脂製の表面パネルを接着することにより形成され、構造上、上下方向の圧力に特に強く、またきわめて軽量でかつ圧力や温度・湿度変化などによる反りに対しても強力な耐性を有している。また、加工しやすく断熱効果も大きい。
【００１７】
また、天井パネル３と壁パネル５には一般に、300(長辺)ｃｍ×60(短辺)ｃｍ×２(厚)ｃｍ程度大に形成されたものが使用されているが、必ずしもこの寸法に限定されるわけではなく、居室の広さによって最適寸法のパネルを入手することができる。
【００１８】
また、天井パネル３と壁パネル５は、住戸の広さに応じて幅方向に互いに突き合わせて複数設置され、各天井パネル３の長辺方向の両端は戸堺壁(または間仕切り壁)４の壁面にくぎ等によって止め付けられた受け金物６によって支持されている。
【００１９】
また、各天井パネル３の中央は上階スラブ２の下面に面ファスナー７によって固定され、さらに隣接する天井パネル３,３間は、例えば図２(a)に図示するような合じゃくり目透かし継ぎ等によって接合されている。
【００２０】
面ファスナー７は、上階スラブ２の下面に取り付けられたファスナー７ａと天井パネル３の上面に取り付けられたファスナー７ｂとから構成され、ファスナー７ａにファスナー７ｂを押し付けることにより、ファスナー７ａにファスナー７ｂが接着して天井パネル３の中央が上階スラブ２に固定されている。
【００２１】
各壁パネル５の上端は、受け金物６に面ファスナー７によって固定され、下端部は戸堺壁(または間仕切り壁)４の壁面にくぎ等によって止め付けられた受け金物８に面ファスナー７によって固定されている。
【００２２】
受け金物６と受け金物８は共にＬ字形状に形成され、受け金物６は戸堺壁(間仕切り壁)４の壁面に逆Ｌ字状に添え付けられ、壁面に添え付けられた垂直フランジ６ａを壁面にくぎ等によって止め付けることにより固定されている。また、受け金物８は壁面にＬ字状に添え付けられ、壁面に添え付けられた垂直フランジ８ａを壁面にくぎ等によって止め付けることにより固定されている。
【００２３】
そして、受け金物６の水平フランジ６ｂの上に天井パネル３の長辺方向の端部が載置されている。また、受け金物６の垂直フランジ６ａに壁パネル５の上端部が面ファスナー７によって固定され、受け金物８の垂直フランジ８ａに壁パネル５の下端部が面ファスナー７によって固定されている。
【００２４】
この場合の面ファスナー７は、受け金物６の垂直フランジ６ａおよび受け金物８の垂直フランジ８ａに取り付けられたファスナー７ａと壁パネル５の上下両端部に取り付けられたファスナー７ｂとから構成され、ファスナー７ａにファスナー７ｂを押し付けることにより、壁パネル３の上下両端部が壁４に固定されている。
【００２５】
なお、受け金物６は、ピース状に形成されたものが天井パネル３ごとに天井パネル３の幅方向に一個または複数個取り付けられていてもよく、またライナー状に形成されたものが隣接する複数の天井パネル３,３間に跨って取り付けられていてもよい。
【００２６】
また、受け金物８も、受け金物６と同様にピース状に形成されたものが壁パネル５ごとに壁パネル５の幅方向に一個または複数個取り付けられていてもよく、またライナー状に形成されたものが隣接する複数の壁パネル５,５間に跨って取り付けられていてもよい。さらに、受け金物６と受け金物８は同一形状、同一寸法に形成され、互いに互換性を有している。
【００２７】
面ファスナー７は、もっとも一般的なものとしてフック状に起毛された側のファスナー７ａとループ状に起毛された側のファスナー７ｂとを押し付けるだけで貼り付くように形成されており、貼り付けたり剥がしたりすることが自在にできるものである。
【００２８】
そして、フック状に起毛された側とループ状に起毛された側の一方が上階スラブ２の下面と受け金物６および８のフランジに、他方が天井パネル３と壁パネル５に接着材などによってそれぞれ貼着されている。
【００２９】
このような構成により、天井パネル３と壁パネル５の取り付けと張替えを自在に行なうことができる。また、上階スラブ２と天井スラブ３との間、戸堺壁(間仕切り壁)４と壁パネル５との間には、受け金物６および８と面ファスナー７によって一定の空間９が形成されており、このためこの空間９を屋内配線または屋内配管を通すためのスペースとして利用することができる。
【００３０】
図３(a),(b)は、特に上階スラブ２の下側に突出した梁１０の周囲に設置された天井パネルを図示したものである。このうち、図３(a)は、壁際部分に突出した梁１０の周囲に設置された天井パネルを図示したものであり、天井パネル１１は梁１０の外形に対応してＬ字形状に一体に形成されている。
【００３１】
また、図３(b)は居室の中央に突出した梁１０の周囲に設置された天井パネルを図示したものであり、天井パネル１１は梁１０の外形に対応して溝形状に一体に形成されている。
【００３２】
さらに、図４は居室の隅部に突出した柱１２の周囲に設置された壁パネルを図示したものであり、壁パネル１３は柱１２の外形に対応してＬ字形状に一体に形成されている。いずれの場合も、パネルが梁１０および柱１２の外形に対応してＬ字形状または溝形状に形成されていることにより、取付けと取り換えを簡単に行うことができる。
【００３３】
図５(a),(b)は、壁際の天井に設置された間接照明を図示したものであり、いずれの間接照明も、天井パネル１１にメンファスナー７によって間接照明形成パネル１４を取り付け、当該間接照明形成ハネル１４のみまたは当該間接照明形成パネル１４と天井パネル１１とによって真上に開口する溝形状に形成された照明器具設置部１４ａ内に照明器具１５を設置することにより形成されている。
【００３４】
なお、間接照明形成パネル１４は、天井パネル３および壁パネル５と同様にペーパーハニカムパネルからＬ字形状または溝形状に形成されている。
【産業上の利用可能性】
【００３５】
本考案は、マンション等の集合住宅の居室の天井および壁の仕上げとリフォームを素人でもきわめて簡単に行なうことができる。
【符号の説明】
【００３６】
１  居室
２  上階スラブ
３  天井パネル
４  戸堺壁(または間仕切り壁)
５  壁パネル
６  受け金物
７  面ファスナー
８  受け金物
９  空間
１０  梁
１１  天井パネル
１２  柱
１３  壁パネル
１４  間接照明形成パネル
１４ａ  照明器具設置部
１５  照明器具
【図１】
0003188482.tif 000003
【図２】
0003188482.tif 000004
【図３】
0003188482.tif 000005
【図４】
0003188482.tif 000006
【図５】
0003188482.tif 000007